(57)【要約】  本発明の１つの目的は、多重接続をサポートするアップリンク・スケジューリング情報報告装置およびシステムを提供することである。本明細書では、ＵＥが、複数のｅＮＢに接続されており、ＵＥは、対応する無線ベアラが属する論理チャネル・グループのバッファ状態報告に関するトリガ構成情報、無線ベアラ構成情報、およびアップリンク・リソース構成情報を複数のｅＮＢのそれぞれに対応してそれぞれ受信し、また多重接続におけるアップリンク・スケジューリング報告をサポートするように、複数のｅＮＢのうちの少なくとも１つにおけるＢＳＲトリガ条件が満たされたとき、対応するｅＮＢに、対応する無線ベアラが属する論理チャネル・グループのバッファ状態報告を伝送する。報告機構は、多重接続をサポートするように、ＵＥのＵＬバッファで伝送可能なデータ量に関する情報をサービングｅＮＢに提供し、そしてマクロ・セルが、制御プレーン・データのより良いカバレッジを提供することを可能にし、またスモール・セルが、より大きなキャパシティを提供することを可能にする。
2016518089.tif 000002
【特許請求の範囲】
【請求項１】
ＵＥにおいて多重接続をサポートするアップリンク・スケジューリング情報報告装置であって、前記ＵＥが、複数のｅＮＢに接続され、当該装置が、
対応する無線ベアラが属する論理チャネル・グループのバッファ状態報告に関するトリガ構成情報、無線ベアラ構成情報、およびアップリンク・リソース構成情報を前記複数のｅＮＢのそれぞれに対応してそれぞれ受信するように構成された構成受信モジュールであって、前記トリガ構成情報が、前記ＵＥが、前記複数のｅＮＢのそれぞれに対応するＢＳＲトリガ条件を構成するのに利用可能である構成受信モジュールと、
前記複数のｅＮＢのうちの少なくとも１つにおける前記ＢＳＲトリガ条件が満たされたとき、対応するｅＮＢに、その対応する無線ベアラが属する前記論理チャネル・グループの前記バッファ状態報告を伝送するように構成されたＢＳＲ報告モジュールと
を備える、アップリンク・スケジューリング情報報告装置。
【請求項２】
前記ＵＥが、１つのマクロｅＮＢおよびスモール・セルｅＮＢに接続される、請求項１に記載の装置。
【請求項３】
前記複数のｅＮＢのうちの少なくとも１つにおける前記ＢＳＲトリガ条件が満たされ、前記対応するｅＮＢがまだアップリンク・リソースを前記ＵＥにまだ割り当てていないとき、前記バッファ状態報告を前記ｅＮＢに報告するためのアップリンク・リソースを取得できるように、スケジューリング要求を前記ｅＮＢに送信するように構成されたＳＲ送信モジュールをさらに備える、請求項１または２に記載の装置。
【請求項４】
前記無線ベアラが、シグナリング無線ベアラを含み、前記シグナリング無線ベアラが、前記複数のｅＮＢによって伝送され、前記ＢＳＲ報告モジュールが、
−  前記複数のｅＮＢのうちの少なくとも１つにおける前記ＢＳＲトリガ条件が満たされたとき、前記対応するｅＮＢに伝送されるシグナリング無線ベアラのバッファ・データの量を決定し、前記シグナリング無線ベアラが属する前記論理チャネル・グループの前記バッファ状態報告を、基地局に伝送する
ようにさらに構成された、請求項１乃至３のいずれか１項に記載の装置。
【請求項５】
前記無線ベアラが、データ無線ベアラを含み、前記データ無線ベアラが、前記複数のｅＮＢのうちの少なくとも２つによって伝送され、伝送のための前記少なくとも２つのｅＮＢが、伝送ｅＮＢになり、そこにおいて１つの伝送ｅＮＢがマクロｅＮＢであり、また他の伝送ｅＮＢがスモール・セルｅＮＢであり、前記対応するスモール・セルが、前記マクロｅＮＢによって提供されるマクロ・セル内に設置され、前記ＢＳＲ報告モジュールが、
−  前記マクロｅＮＢの前記ＢＳＲトリガ報告が満たされたとき、前記マクロｅＮＢが、自身および前記他の伝送ｅＮＢによってそれぞれ伝送される各データ量を決定し、またさらに、前記バッファ状態報告、および前記データ量に対応する決定情報が、前記マクロｅＮＢによって前記対応する他の伝送ｅＮＢに提供されるように、前記データ無線ベアラが属する前記論理チャネル・グループの前記バッファ状態報告を、前記マクロｅＮＢに伝送する
ようにさらに構成された、請求項１乃至４のいずれか１項に記載の装置。
【請求項６】
前記無線ベアラが、データ無線ベアラを含み、前記データ無線ベアラが、前記複数のｅＮＢのうちの少なくとも２つによって伝送され、伝送のための前記少なくとも２つのｅＮＢが、伝送ｅＮＢになり、そこにおいて１つの伝送ｅＮＢがマクロｅＮＢであり、また他の伝送ｅＮＢがスモール・セルｅＮＢであり、前記対応するスモール・セルが、前記マクロｅＮＢによって提供されるマクロ・セル内に設置され、前記ＢＳＲ報告モジュールが、
−  前記伝送ｅＮＢの前記ＢＳＲトリガ条件が満たされたとき、前記マクロｅＮＢが、自身および前記他の伝送ｅＮＢによって伝送される各データ量を決定し、またさらに、前記マクロｅＮＢが、前記データ量に対応する決定情報を、対応する他の伝送ｅＮＢに提供するように、前記データ無線ベアラが属する前記論理チャネル・グループの前記バッファ状態報告を、前記伝送ｅＮＢのそれぞれに伝送する
ようにさらに構成された、請求項１乃至４のいずれか１項に記載の装置。
【請求項７】
前記無線ベアラが、データ無線ベアラを含み、前記データ無線ベアラが、前記複数のｅＮＢのうちの少なくとも２つによって伝送され、伝送のための前記少なくとも２つのｅＮＢが、伝送ｅＮＢになり、前記ＢＳＲ報告装置が、
−  前記伝送ｅＮＢのトリガ条件が満たされたとき、前記各伝送ｅＮＢが、それ自身の伝送されるデータ量をそれ自身のスケジューリング履歴情報に基づいて決定するように、前記データ無線ベアラが属する前記論理チャネル・グループの前記バッファ状態報告を、前記伝送ｅＮＢのそれぞれに伝送する
ようにさらに構成された、請求項１乃至４のいずれか１項に記載の装置。
【請求項８】
マクロｅＮＢにおいて多重接続をサポートする円滑化アップリンク・スケジューリング情報報告装置であって、ＵＥが、前記マクロｅＮＢおよび複数の他のｅＮＢに接続され、当該装置が、
前記ＵＥに、前記ＵＥが、前記マクロｅＮＢに対応するＢＳＲトリガ条件を構成する、前記マクロｅＮＢに対応するデータ無線ベアラが属する論理チャネル・グループのバッファ状態報告に関するトリガ構成情報を伝送するように構成された第１の構成送信モジュールと、
前記ＢＳＲトリガ条件が満たされたとき、前記ＵＥから前記バッファ状態報告を受信するように構成された第１のＢＳＲ受信モジュールと、
前記バッファ状態報告に基づいて、前記マクロｅＮＢによって伝送される前記データ無線ベアラ向けのデータ量を決定するように構成された第１の伝送決定モジュールと
を備える、円滑化アップリンク・スケジューリング情報報告装置。
【請求項９】
前記他のｅＮＢがスモール・セルｅＮＢであり、前記対応するスモール・セルが、前記マクロｅＮＢによって提供されるマクロ・セル内に設置され、
前記第１の伝送決定モジュールが、
−  前記バッファ状態報告に基づいて、前記他のｅＮＢによって伝送される前記データ無線ベアラ向けのデータ量を決定し、
−  前記他のｅＮＢのために決定されると、伝送に対する前記データ量に対応する決定情報を前記他のｅＮＢに送信する
ように構成された、請求項８に記載の装置。
【請求項１０】
前記第１の伝送決定モジュールが、
−  前記バッファ状態報告および前記バッファ状態報告の送信時間を前記他のｅＮＢに送信する
ようにさらに構成された、請求項９に記載の装置。
【請求項１１】
スモール・セルｅＮＢにおいて多重接続をサポートする円滑化アップリンク・スケジューリング情報報告装置であって、ＵＥが、前記スモール・セルｅＮＢおよび複数の他のｅＮＢに接続され、当該装置が、
前記ＵＥに、前記ＵＥが、前記スモール・セルｅＮＢに対応するＢＳＲトリガ条件を構成する、前記スモール・セルｅＮＢに対応するデータ無線ベアラが属する論理チャネル・グループのバッファ状態報告に関するトリガ構成情報を伝送するように構成された第２の構成送信モジュールと、
前記ＢＳＲトリガ条件が満たされたとき、前記ＵＥから前記バッファ状態報告を受信するように構成された第２のＢＳＲ受信モジュールと、
前記バッファ状態報告および前記スモール・セルのスケジューリング履歴情報に基づいて、前記スモール・セルｅＮＢによって伝送される前記データ無線ベアラ向けのデータ量を決定するように構成された第２の伝送決定モジュールと
を備える、円滑化アップリンク・スケジューリング情報報告装置。
【請求項１２】
スモール・セルｅＮＢにおいて多重接続をサポートする円滑化アップリンク・スケジューリング情報報告装置であって、ＵＥが、１つまたは複数のスモール・セルｅＮＢおよび１つのマクロｅＮＢに接続され、前記スモール・セルｅＮＢに対応する前記スモール・セルが、前記マクロｅＮＢによって提供されるマクロ・セル内に設置され、当該装置が、
前記ＵＥに、前記ＵＥが、前記スモール・セルｅＮＢに対応するＢＳＲトリガ条件を構成する、前記スモール・セルｅＮＢに対応するデータ無線ベアラが属する論理チャネル・グループのバッファ状態報告に関するトリガ構成情報を伝送するように構成された第３の構成送信モジュールと、
前記ＢＳＲトリガ条件が満たされたとき、前記ＵＥから前記バッファ状態報告を受信するように構成された第３のＢＳＲ受信モジュールと、
前記スモール・セルｅＮＢのために前記マクロｅＮＢによって決定される、前記スモール・セルｅＮＢによって伝送される前記データ無線ベアラ向けのデータ量に関する決定情報を、前記マクロｅＮＢから受信するように構成された第３の伝送受信モジュールと
を備える、円滑化アップリンク・スケジューリング情報報告装置。
【請求項１３】
スモール・セルｅＮＢにおいて多重接続をサポートする円滑化アップリンク・スケジューリング情報報告装置であって、ＵＥが、１つまたは複数のスモール・セルｅＮＢおよび１つのマクロｅＮＢに接続され、前記スモール・セルｅＮＢに対応する前記スモール・セルが、前記マクロｅＮＢによって提供されるマクロ・セル内に設置され、当該装置が、
前記ＵＥによって伝送され、前記マクロｅＮＢによって転送される、前記スモール・セルｅＮＢに対応するデータ無線ベアラが属する前記論理チャネル・グループの前記バッファ状態報告、および前記スモール・セルｅＮＢのために前記マクロｅＮＢによって決定される、前記スモール・セルｅＮＢによって伝送される前記データ無線ベアラ向けのデータ量に関する決定情報を、前記マクロｅＮＢから受信するように構成された第４のＢＳＲ受信モジュール
を備える、円滑化アップリンク・スケジューリング情報報告装置。
【請求項１４】
前記第４のＢＳＲ受信モジュールが、
−  前記マクロｅＮＢから、前記バッファ状態報告の送信時間を受信する
ようにさらに構成された、請求項１３に記載の装置。
【請求項１５】
多重接続をサポートするアップリンク・スケジューリング情報報告システムであって、請求項１乃至７のいずれか１項による、ＵＥにおいて多重接続をサポートする前記アップリンク・スケジューリング情報報告装置、請求項８乃至１０のいずれか１項による、マクロｅＮＢにおいて多重接続をサポートする前記円滑化アップリンク・スケジューリング情報報告装置、および請求項１１乃至１４のいずれか１項による、スモール・セルｅＮＢにおいて多重接続をサポートする前記円滑化アップリンク・スケジューリング情報報告装置を備える、アップリンク・スケジューリング情報報告システム。
【発明の詳細な説明】
【技術分野】
【０００１】
本発明は、無線通信技術の分野に関し、より具体的には、多重接続をサポートするアップリンク・スケジューリング情報報告技術に関する。
【背景技術】
【０００２】
マクロ・セル、ピコ・セル、およびフェムト・セルなどの低電力ノードはキャパシティの向上およびカバレッジの盲点の解消をもたらすので、スモール・セルの展開および拡張に対しては大きな関心が寄せられている。３ＧＰＰ  Ｒ１２では、１つの新たなスタディ・アイテム（Ｓｔｕｄｙ  Ｉｔｅｍ）「Ｓｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ  −  Ｈｉｇｈｅｒ−ｌａｙｅｒ  ａｓｐｅｃｔｓ」が承認され、１つの重要なポイントは、マクロ・セルおよびスモール・セルへの多重接続（二重接続を含む）をサポートすることである。さらに、スケジューリングは、所望のＱｏＳおよびシステム・キャパシティを実現するためにリソースをユーザに割り当てる１つの重要な機能である。バッファ状態報告（ＢＳＲ：Ｂｕｆｆｅｒ  Ｓｔａｔｕｓ  Ｒｅｐｏｒｔ）およびスケジューリング要求（ＳＲ：Ｓｃｈｅｄｕｌｉｎｇ  Ｒｅｑｕｅｓｔ）を含むスケジューリング情報報告は、アップリンク（ＵＬ：Ｕｐｌｉｎｋ）スケジューラが、どれだけのデータを各論理チャネル・グループ（ＬＣＧ：Ｌｏｇｉｃ  Ｃｈａｎｎｅｌ  Ｇｒｏｕｐ）に伝送する必要があるかを知るのに重要な１つの入力要素である。現在のシステムでは、ユーザへのただ１つのサービング・ノードが存在し、したがってユーザは、ＢＳＲおよびＳＲを１つの基地局に報告する必要があるのみである。多重接続をサポートするために、ユーザは、２つ以上のサービング・セルと、これらのセルが非理想的バックホールに結合されている場合、サービング・セルのそれぞれに分散スケジューラを有する必要があり、したがって、どのような値がどのセルに報告されるべきか、またどのようにセルが各セルに報告されるかが決定されるべきである。
【０００３】
ＢＳＲ手順は、サービングｅＮＢに、ユーザ機器（ＵＥ：Ｕｓｅｒ  Ｅｑｕｉｐｍｅｎｔ）のＵＬバッファで伝送に利用可能なデータの量に関する情報を提供するために使用される。ＳＲは、新たな伝送用のＵＬ−ＳＣＨリソースを要求するために使用される。ＢＳＲを伝送するためのリソース割当てがないとき、ＳＲ送信がトリガされることになる。現在のシステムでは、キャリア・アグリゲーション（ＣＡ：Ｃａｒｒｉｅｒ  Ａｇｇｒｅｇａｔｉｏｎ）の場合、複数の、しかしながら物理的に同じ場所に配置されたサービング・セルが存在するが、１つのサービング・ノードがあるのみのため、ＢＳＲおよびＳＲ送信手順は、比較的単純であり、例えば、以下のとおりである。
−−  スケジューリング用のＢＳＲおよびＳＲを取得するための１つのノードのみがある。
−−  ＢＳＲ手順は、１組のトリガのみを有する。
−−  ＵＥは、ＴＴＩ（伝送時間間隔：Ｔｒａｎｓｍｉｓｓｉｏｎ  Ｔｉｍｅ  Ｉｎｔｅｒｖａｌ）内で、多くて１つのレギュラー／周期的ＢＳＲを伝送する。
−−  ＵＥがＴＴＩ内で複数のＭＡＣ  ＰＤＵの伝送を要求された場合、ＵＥは、レギュラー／周期的ＢＳＲを含まないＭＡＣ  ＰＤＵのいずれかにパディングＢＳＲ（ｐａｄｄｉｎｇ  ＢＳＲ）を含み得る。
【０００４】
上記の分析に基づくと、バッファ状態報告およびスケジューリング要求の既存の機構は、多重接続（二重接続を含む）をサポートすることができない。さらに、多重接続（二重接続を含む）の場合、２つ以上のサービング・セルが存在するので、これらのサービング・セルが非理想的バックホール接続に結合されている場合、独立した分散スケジューラがさらに、各ｅＮＢに必要となる。より多くの（２つの）セルが制御プレーンおよびデータ・プレーン分割をサポートする、すなわち、ＳＲＢ（シグナリング無線ベアラ：Ｓｉｇｎａｌｉｎｇ  Ｒａｄｉｏ  Ｂｅａｒｅｒ）およびＤＲＢ（データ無線ベアラ：Ｄａｔａ  Ｒａｄｉｏ  Ｂｅａｒｅｒ）分割がこれらのより多くの（２つの）セル間でサポートされる場合、ユーザは、ＢＳＲおよびＳＲをより多くの（２つの）セルにそれぞれ報告する必要がある。したがって、多重接続（二重接続を含む）の場合、ユーザが２つ以上のセルに同時に、特にＤＲＢ分割を伴って伝送されたとき、どのような値が報告されるべきか、またどのように報告するかが解決されるべきである。
【先行技術文献】
【非特許文献】
【０００５】
【非特許文献１】３ＧＰＰ  Ｒ１２、スタディ・アイテム「Ｓｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ  −  Ｈｉｇｈｅｒ−ｌａｙｅｒ  ａｓｐｅｃｔｓ」
【発明の概要】
【発明が解決しようとする課題】
【０００６】
本発明の１つの目的は、多重接続（二重接続を含む）をサポートするアップリンク・スケジューリング情報報告装置およびシステムを提供することである。
【課題を解決するための手段】
【０００７】
本発明の一態様によれば、ＵＥにおいて多重接続をサポートするアップリンク・スケジューリング情報報告装置であって、ＵＥが、複数のｅＮＢに接続され、装置が、
対応する無線ベアラが属する論理チャネル・グループのバッファ状態報告に関するトリガ構成情報（ｔｒｉｇｇｅｒ  ｃｏｎｆｉｇｕｒａｔｉｏｎ  ｉｎｆｏｒｍａｔｉｏｎ）、無線ベアラ構成情報、およびアップリンク・リソース構成情報を複数のｅＮＢのそれぞれに対応してそれぞれ受信するように構成された構成受信モジュールであって、トリガ構成情報が、ＵＥが、複数のｅＮＢのそれぞれに対応するＢＳＲトリガ条件を構成するのに利用可能である構成受信モジュールと、
複数のｅＮＢのうちの少なくとも１つにおけるＢＳＲトリガ条件が満たされたとき、対応するｅＮＢに、対応する無線ベアラが属する論理チャネル・グループのバッファ状態報告を伝送するように構成されたＢＳＲ報告モジュールと
を備える、アップリンク・スケジューリング情報報告装置が提供される。
【０００８】
本発明の別の態様によれば、マクロｅＮＢにおいて多重接続をサポートする円滑化アップリンク・スケジューリング情報報告装置（ｆａｃｉｌｉｔａｔｉｎｇ  ｕｐｌｉｎｋ  ｓｃｈｅｄｕｌｉｎｇ  ｉｎｆｏｒｍａｔｉｏｎ  ｒｅｐｏｒｔｉｎｇ  ａｐｐａｒａｔｕｓ）であって、ＵＥが、マクロｅＮＢおよび複数の他のｅＮＢに接続され、装置が、
ＵＥに、ＵＥが、マクロｅＮＢに対応するＢＳＲトリガ条件を構成する、マクロｅＮＢに対応するデータ無線ベアラが属する論理チャネル・グループのバッファ状態報告に関するトリガ構成情報を伝送するように構成された第１の構成送信モジュールと、
ＢＳＲトリガ条件が満たされたとき、ＵＥからバッファ状態報告を受信するように構成された第１のＢＳＲ受信モジュールと、
バッファ状態報告に基づいて、マクロｅＮＢによって伝送されるデータ無線ベアラ向けのデータ量を決定するように構成された第１の伝送決定モジュールと
を備える、円滑化アップリンク・スケジューリング情報報告装置がさらに提供される。
【０００９】
本発明の他の態様によれば、スモール・セルｅＮＢにおいて多重接続をサポートする円滑化アップリンク・スケジューリング情報報告装置であって、ＵＥが、スモール・セルｅＮＢおよび複数の他のｅＮＢに接続され、装置が、
ＵＥに、ＵＥが、スモール・セルｅＮＢに対応するＢＳＲトリガ条件を構成する、スモール・セルｅＮＢに対応するデータ無線ベアラが属する論理チャネル・グループのバッファ状態報告に関するトリガ構成情報を伝送するように構成された第２の構成送信モジュールと、
ＢＳＲトリガ条件が満たされたとき、ＵＥからバッファ状態報告を受信するように構成された第２のＢＳＲ受信モジュールと、
バッファ状態報告およびスモール・セルのスケジューリング履歴情報（ｈｉｓｔｏｒｉｃａｌ  ｓｃｈｅｄｕｌｉｎｇ  ｉｎｆｏｒｍａｔｉｏｎ）に基づいて、スモール・セルｅＮＢによって伝送されるデータ無線ベアラ向けのデータ量を決定するように構成された第２の伝送決定モジュールと
を備える、円滑化アップリンク・スケジューリング情報報告装置がさらに提供される。
【００１０】
本発明のさらに他の態様によれば、スモール・セルｅＮＢにおいて多重接続をサポートする円滑化アップリンク・スケジューリング情報報告装置であって、ＵＥが、１つまたは複数のスモール・セルｅＮＢおよび１つのマクロｅＮＢに接続され、スモール・セルｅＮＢに対応するスモール・セルが、マクロｅＮＢによって提供されるマクロ・セル内に設置され、装置が、
ＵＥに、ＵＥが、スモール・セルｅＮＢに対応するＢＳＲトリガ条件を構成する、スモール・セルｅＮＢに対応するデータ無線ベアラが属する論理チャネル・グループのバッファ状態報告に関するトリガ構成情報を伝送するように構成された第３の構成送信モジュールと、
ＢＳＲトリガ条件が満たされたとき、ＵＥからバッファ状態報告を受信するように構成された第３のＢＳＲ受信モジュールと、
スモール・セルｅＮＢのためにマクロｅＮＢによって決定されると、スモール・セルｅＮＢによって伝送されるデータ無線ベアラ向けのデータ量に関する決定情報を、マクロｅＮＢから受信するように構成された第３の伝送受信モジュールと
を備える、円滑化アップリンク・スケジューリング情報報告装置がさらに提供される。
【００１１】
本発明のまたさらに他の態様によれば、スモール・セルｅＮＢにおいて多重接続をサポートする円滑化アップリンク・スケジューリング情報報告装置であって、ＵＥが、１つまたは複数のスモール・セルｅＮＢおよび１つのマクロｅＮＢに接続され、スモール・セルｅＮＢに対応するスモール・セルが、マクロｅＮＢによって提供されるマクロ・セル内に設置され、装置が、
ＵＥによって伝送され、マクロｅＮＢによって転送される、スモール・セルｅＮＢに対応するデータ無線ベアラが属する論理チャネル・グループのバッファ状態報告、およびスモール・セルｅＮＢのためにマクロｅＮＢによって決定される、スモール・セルｅＮＢによって伝送されるデータ無線ベアラ向けのデータ量に関する決定情報を、マクロｅＮＢから受信するように構成された第４のＢＳＲ受信モジュール
を備える、円滑化アップリンク・スケジューリング情報報告装置がさらに提供される。
【００１２】
本発明の一態様によれば、多重接続をサポートするアップリンク・スケジューリング情報報告システムであって、本発明の一態様による、ＵＥにおいて多重接続をサポートする上述のアップリンク・スケジューリング情報報告装置、本発明の別の態様による、マクロｅＮＢにおいて多重接続をサポートする上述の円滑化アップリンク・スケジューリング情報報告装置、および本発明の他の態様、さらに他の態様、またさらに他の態様による、スモール・セル基地局において多重接続をサポートする上述の円滑化アップリンク・スケジューリング情報報告装置のうちの１つを備える、多重接続をサポートするアップリンク・スケジューリング情報報告システムがさらに提供される。
【００１３】
従来技術に比べて、本発明は、多重接続（二重接続を含む）をサポートするアップリンク・スケジューリング情報報告機構であって、スケジューリング情報報告が、バッファ状態報告およびスケジューリング要求を含むアップリンク・スケジューリング情報報告機構を提供する。本明細書で、報告機構は、多重接続（二重接続を含む）をサポートするように、ＤＲＢ分割およびＤＲＢ非分割の場合に適用できる、ＵＥのＵＬバッファで伝送可能なデータ量に関する情報をサービングｅＮＢに提供する。さらに、ＵＥへの多重接続（二重接続を含む）においてマクロ・セルおよびスモール・セルは、非理想的バックホール接続に結合され、したがって複数のセル用の分散スケジューラが必要とされる。したがって、多重接続（二重接続を含む）は、マクロ・セルが、制御プレーン・データのより良いカバレッジを提供することを可能にし、またスモール・セルが、より大きなキャパシティを提供することを可能にする。
【００１４】
添付図面を参照しながら行われる、非限定的な実施形態に関する以下の詳細な記述を読むことを通じて、本発明の他の特徴、目的、および利点が、より明確になる。
【図面の簡単な説明】
【００１５】
【図１】本発明の一実施形態による、ＵＥ１０と、ＵＥ１０と二重接続しているマクロｅＮＢ２０およびピコｅＮＢ３０との間の連携でアップリンク・スケジューリング情報報告を実装するための方法の流れ図である。
【図２】本発明の好ましい一実施形態による適用シナリオの概略図である。
【図３】本発明の別の好ましい実施形態による適用シナリオの概略図である。
【図４】本発明の他の好ましい実施形態による適用シナリオの概略図である。
【図５】本発明の別の実施形態による、アップリンク・スケジューリング情報報告を共同で実装するために、マクロｅＮＢ２０およびピコｅＮＢ３０と二重接続しているＵＥ１０における装置の概略図である。
【発明を実施するための形態】
【００１６】
添付図面における同じまたは類似の参照番号は、同じまたは対応する構成要素を示す。
【００１７】
以下で、本発明をさらに、添付図面を参照しながら詳しく説明する。
【００１８】
本発明において、多重接続は、ＵＥが、すべてがマクロｅＮＢであってもよいか、すべてがスモール・セルｅＮＢであってもよい、または両方の組合せであってもよい複数のｅＮＢに同時に接続されることを意味する。例えば、ＵＥが、２つのマクロｅＮＢに同時に接続されるか、ＵＥが、１つのマクロｅＮＢと１つのスモール・セルｅＮＢに同時に接続される。さらに、ＵＥに同時に接続されたスモール・セルｅＮＢとマクロｅＮＢとの間に所属関係はない可能性がある。例えば、ＵＥは、マクロｅＮＢとスモール・セルｅＮＢに同時に接続されるが、スモール・セルｅＮＢに対応するスモール・セルは、別のマクロｅＮＢによって提供されたマクロ・セル内に設置されている。
【００１９】
多重接続の場合、ＵＥに接続されたそれぞれのｅＮＢは、ＵＥに、対応する無線ベアラが属する論理チャネル・グループのバッファ状態報告に関するトリガ構成情報、無線ベアラ構成情報、およびアップリンク・リソース構成情報などをそれぞれ伝送することができる。ＵＥが、マクロｅＮＢ、およびマクロｅＮＢに属する複数のスモール・セルｅＮＢに接続されているとき、マクロｅＮＢが、上述のそれぞれのスモール・セルｅＮＢに対し、対応する無線ベアラが属する論理チャネル・グループのバッファ状態報告に関するそれぞれのトリガ構成情報を決定し、その構成情報をＵＥに伝送できることが好ましい。
【００２０】
説明の便宜上、本説明において大抵は二重接続が例に挙げられ、例証が行われるが、当業者ならば、そうした例は、本発明の例示の目的のみのためのものであり、本発明を限定するものと見なされるべきではなく、また二重接続以外の多重接続もまた本発明に適用でき、本発明の保護範囲に含まれることを理解するであろう。
【００２１】
二重接続の場合、ＵＥは、例えば、マクロ・セルに対応するｅＮＢ（以下「マクロｅＮＢ」と呼ばれる）やマクロ・セル内のスモール・セルに対応するｅＮＢなどの２つの基地局に同時に接続されてもよく、そこではスモール・セルは、マクロ・セル、ピコ・セル、フェムト・セルなどであり得る。説明の便宜上、本説明は、二重接続ＵＥがさらに、ピコ・セルに対応するｅＮＢ（以下「ピコｅＮＢ」と呼ばれる）に接続されるよう、大抵マクロ・セル内のピコ・セルを例として挙げる。
【００２２】
上記ピコ・セルは、単に例示的なものであり、本発明を限定するものと見なされるべきではなく、また他の既存のスモール・セルまたは将来のスモール・セルは、本発明に適用可能な場合、本発明の特許保護範囲でカバーされるべきであることに留意されたい。
【００２３】
本明細書で、２つの基地局でのＤＲＢ非分割伝送の場合、すなわち、１つのＤＲＢがその１つの基地局でのみ伝送され得る場合、ＵＥは、対応する基地局に、ＤＲＢがマッピングされたＬＣＧのバッファ状態報告を報告する。２つの基地局でのＤＲＢ分割伝送の場合、すなわち、１つのＤＲＢが２つの基地局によって伝送される場合、マクロｅＮＢとピコｅＮＢの両方は、それぞれ、ＤＲＢがマッピングされたＬＣＧのバッファ状態報告を取得し、ＤＲＢ向けの部分的なデータ量を伝送する必要がある。
【００２４】
しかし、状況は、制御プレーン・データによって異なる。スモール・セルがローカル・リソース割当て向けに部分的なＲＲＣ機能をもち得るので、ＳＲＢは、マクロ・セルおよびスモール・セルに送信可能であり、すなわち、ＳＲＢ分割のサポートが必要である。その上、この状況下で、ＵＥは、ＳＲＢが送信される先のセルの他、対応するセルに伝送されるＳＲＢのバッファ・データ量を区別するとともに、対応するセルに、ＳＲＢが属するＬＣＧのバッファ状態報告を報告する必要がある。言い換えると、ＵＥは、ＬＣＧのバッファ状態報告を、論理チャネルまたは無線ベアラが伝送を許可されている先のｅＮＢに報告するのみである。
【００２５】
図１は、本発明の一実施形態による方法の流れ図であり、ＵＥ１０が、アップリンク・スケジューリング情報報告を実装するために、二重接続においてその接続先であるマクロｅＮＢ２０およびピコｅＮＢ３０と連携することを示す。
【００２６】
具体的には、ステップＳ１では、マクロｅＮＢ２０およびピコｅＮＢ３０は、ＵＥ１０に、それぞれの対応する無線ベアラが属する論理チャネル・グループのバッファ状態報告に関するトリガ構成情報、無線ベアラ構成情報、およびアップリンク・リソース構成情報をそれぞれ伝送する。それに対応して、ＵＥ１０は、マクロｅＮＢ２０およびピコｅＮＢ３０から、前述のそれぞれの構成情報を受信する。ここでは、トリガ構成情報は、ＵＥが、例えば、それぞれのｅＮＢに対応するＢＳＲトリガ・タイマの構成情報など、それぞれのｅＮＢ向けに対応するＢＳＲ構成条件を構成する、マクロｅＮＢ２０およびピコｅＮＢ３０に対応するＢＳＲトリガ構成情報をそれぞれ含む。無線ベアラ構成情報は、それぞれのｅＮＢによって伝送可能である無線ベアラ・タイプを含む。アップリンク・リソース構成情報は、例えば、ＰＵＣＣＨリソース構成情報など、それぞれのｅＮＢによってＵＥに割り当てられたアップリンク・リソースの構成情報を含む。したがって、二重接続をサポートするＵＥの場合、接続された２つのセル向けに、Ｉｎｄｉｖｉｄｕａｌ  ＭＡＣ−ＭａｉｎＣｏｎｆｉｇを実行する必要がある。
【００２７】
ステップＳ２では、ＵＥ１０が接続される先の複数のｅＮＢのうちの少なくとも１つにおけるＢＳＲトリガ条件が満たされたとき、ＵＥ１０は、対応するｅＮＢに、対応する無線ベアラが属する論理チャネル・グループのバッファ状態報告を伝送する。例えば、ＳＲＢバッファ状態報告の場合、ＵＥ１０は、それぞれマクロｅＮＢ２０およびピコｅＮＢ３０のために、例えば、ｐｅｒｉｏｄｉｃＢＳＲ−ＴｉｍｅｒやｒｅｔｘＢＳＲ−Ｔｉｍｅｒなど、１組のトリガ手順を維持する必要がある。例えば、対応するタイマが満了するなど、対応するｅＮＢのＢＳＲトリガ条件が満たされたとき、ＵＥ１０は、対応するｅＮＢに、対応するＳＲＢが属するＬＣＧのＢＳＲを報告する。
【００２８】
ここでは、周期的ＢＳＲ（ｐｅｒｉｏｄｉｃ  ＢＳＲ）およびレギュラーＢＳＲ（ｒｅｇｕｌａｒ  ＢＳＲ）の報告は、既存の規則に従うことができる。しかし、パディングＢＳＲ報告の場合、ＵＥ１０が複数のＭＡＣ  ＰＤＵを１つのｅＮＢ（例えば、マクロｅＮＢ２０やピコｅＮＢ３０）にＴＴＩ内で伝送するように要求された場合、パディングＢＳＲ報告は、レギュラー／周期的ＢＳＲを含まないＭＡＣ  ＰＤＵのいずれかに含まれ得る。
【００２９】
さらに、ステップＳ２では、ＵＥ１０が接続される先の複数のｅＮＢのうちの少なくとも１つにおけるＢＳＲトリガ条件が満たされ、対応するｅＮＢが現在まだアップリンク・リソースをＵＥに割り当てていないとき、ＵＥ１０は、バッファ状態報告をｅＮＢに報告するためのアップリンク・リソースを取得できるように、スケジューリング要求をｅＮＢに伝送する。すなわち、ＢＳＲを伝送するための現在割り当てられたアップリンク・リソースがない場合、ＳＲ送信がトリガされることになる。同様に、２つのｅＮＢに対して２組のＳＲ送信手順も個別に存在する。具体的には、マクロｅＮＢ２０のＢＳＲトリガ条件が満たされたとき、任意のＴＴＩ内でマクロｅＮＢ２０によってＳＲのために構成された有効なＰＵＣＣＨリソースがない場合、ＵＥ１０は、マクロｅＮＢ２０にランダム・アクセスを開始する。スモール・セルｅＮＢのＢＳＲトリガ条件が満たされたとき、任意のＴＴＩ内でスモール・セルｅＮＢによってＳＲのために構成された有効なＰＵＣＣＨリソースがない場合、ＵＥ１０は、スモール・セルｅＮＢにランダム・アクセスを開始する。したがって、両方のｅＮＢは、ＰＵＣＣＨおよびランダム・アクセスをサポートすべきである。
【００３０】
ＤＲＢ分割の場合、１つのＤＲＢは複数のｅＮＢによって伝送可能である一方、複数のｅＮＢは非理想的バックホール接続と結合されるので、各ｅＮＢは、独立した分散スケジューラを必要とする。したがって、その実装はより複雑であり、そこには多くの変形形態が存在する。ここでは、ＤＲＢを伝送する複数のｅＮＢは、ＵＥに接続されたｅＮＢのうちのすべてまたは一部であってもよく、そうしたｅＮＢは、伝送ｅＮＢ（ｔｒａｎｓｍｉｔｔｉｎｇ  ｅＮＢ）と呼ばれ、そこでは各伝送ｅＮＢが、ＤＲＢの合計ＢＳＲ報告を取得し、伝送可能なデータ量を自ら決定することができる。さらに、一方の伝送ｅＮＢがマクロｅＮＢであり、他方の伝送ｅＮＢがマクロｅＮＢに属するスモール・セルｅＮＢであるとき、マクロｅＮＢは、ＤＲＢに対して他方の伝送ｅＮＢそれぞれによって伝送可能なデータ量を、他方の伝送ｅＮＢに対して決定することができる。
【００３１】
以下において、いくつかの好ましい実施形態が、添付図面を参照しながら示されるとともに、１つのＤＲＢが、２つの伝送基地局がマクロｅＮＢ２０とピコｅＮＢ３０である２つの基地局上で伝送される例が挙げられる。
【００３２】
本発明の好ましい一実施形態では、図１および図２を協同的に参照しており、ステップＳ１では、マクロｅＮＢ２０は、ＵＥ１０に、ＵＥ１０が、マクロｅＮＢ２０に対応するそのＢＳＲトリガ条件を構成する、マクロｅＮＢ２０に対応するデータ無線ベアラが属する論理チャネル・グループのバッファ状態報告に関するトリガ構成情報を伝送する。ステップＳ２では、マクロｅＮＢ２０のＢＳＲトリガ条件が満たされたとき、ＵＥ１０は、ＤＲＢが属する論理チャネル・グループのバッファ状態報告をマクロｅＮＢ２０にＭＡＣ  ＰＤＵを通じて伝送する。ここでは、既存の規則に基づいて、ＢＳＲは、周期的ＢＳＲ、レギュラーＢＳＲ、またはパディングＢＳＲとしてトリガされ得る。
【００３３】
その後、マクロｅＮＢ２０は、そのフロー制御機能を使用して、バッファ状態報告に従った、自身およびピコｅＮＢ３０などの、それぞれのロードおよびチャネル条件に基づいて、自身およびピコｅＮＢ３０によってそれぞれ伝送されるＤＲＢ向けのデータ量を決定し、次いで、ＢＳＲ、およびピコｅＮＢ３０によって伝送されると決定されたデータ量に対応する決定情報をピコｅＮＢ３０にＸ２インタフェースを介して提供する。決定情報がＢＳＲに含まれ得ることが好ましい。ここでは、決定情報は、ピコｅＮＢ３０によって伝送されるデータ量、またはピコｅＮＢ３０によって伝送されるデータ量の、マクロｅＮＢ２０によって決定されるＤＲＢのバッファ・データ量に対する比率を含む。それに対応して、ピコｅＮＢ３０は、マクロｅＮＢ２０から、マクロｅＮＢ２０によって転送されるバッファ状態報告、およびピコｅＮＢ３０がアップリンク・リソースをＵＥ１０に割り当てるような、ＤＲＢ向けにピコｅＮＢ３０によって伝送されるマクロｅＮＢ２０によって決定されたデータ量に関する決定情報を受信する。
【００３４】
加えて、ＢＳＲを送信しているＵＥからマクロｅＮＢ２０への遅延が存在するため、この期間、ＵＥは、リソースの割当ておよびデータの伝送が可能であり、したがって、マクロｅＮＢ２０は、この期間、データ伝送量を推定し、それに対応して、この部分のデータ量をバッファ状態報告から削減することができる。さらに、Ｘ２インタフェースの不確定なレイテンシのため、マクロｅＮＢ２０が、ＵＥによって伝送されたＢＳＲをピコｅＮＢ３０に転送するとき、ＢＳＲ送信時間もまた、ピコｅＮＢ３０に提供可能であり、そこでは、ＢＳＲ送信時間は、ＵＥがＢＳＲを報告する時間であってもよく、またはマクロｅＮＢ２０がＢＳＲを転送する時間であってもよく、例えば、ＳＦＮ＋サブフレーム番号として分類され得る。それに対応して、ピコｅＮＢ３０はまた、ＵＥ１０によって伝送されてきたデータ量を推定するために、ＢＳＲ送信時間をマクロｅＮＢ２０から受信し、アップリンク・リソースをＵＥにそれに基づいて割り当てることができる。
【００３５】
本発明の別の好ましい実施形態では、図１および図３を協同的に参照しており、ステップＳ１では、マクロｅＮＢ２０およびピコｅＮＢ３０は、ＵＥ１０に、ＵＥ１０が、マクロｅＮＢ２０およびピコｅＮＢ３０にそれぞれ対応するＢＳＲトリガ条件を構成する、マクロｅＮＢ２０およびピコｅＮＢ３０にそれぞれ対応するデータ無線ベアラが属する論理チャネル・グループのバッファ状態報告に関するトリガ構成情報をそれぞれ伝送する。ステップＳ２では、マクロｅＮＢ２０およびピコｅＮＢ３０のＢＳＲトリガ条件が満たされたとき、ＵＥは、非理想的バックホール・リンクを有するＸ２インタフェースのタイミングの悪い伝送を回避できるように、ＤＲＢが属する論理チャネル・グループのバッファ状態報告をマクロｅＮＢ２０およびピコｅＮＢ３０にそれぞれ伝送する。
【００３６】
その後、マクロｅＮＢ２０は、そのフロー制御機能を使用して、自身およびピコｅＮＢ３０によってそれぞれ伝送されるデータ量を決定し、さらに、データ量に対応する決定情報をピコｅＮＢ３０にＸ２インタフェースを介して提供する。ここでは、決定情報は、マクロｅＮＢ２０によって、ピコｅＮＢ３０によって伝送されると決定されたデータ量、またはピコｅＮＢ３０によって伝送されるデータ量の、ＤＲＢのバッファ・データ量に対する比率を含み、これは、ピコｅＮＢ３０がＵＥ１０へのリソースの過剰割当てを回避するのを円滑化するために使用することができる。さらに、Ｘ２インタフェースのレイテンシを考えると、決定情報は、ピコｅＮＢにおけるＵＥ１０へのリソースの過剰割当てを回避するように、その送信時間と共にピコｅＮＢ３０に提供されてもよい。
【００３７】
その上、アップリンク・リソースの割当ては２つのｅＮＢで完全に異なるので、同じＢＳＲ報告の場合、マクロｅＮＢ２０が、ＢＳＲを伝送するための、アップリンク・リソースの割当てをもち、一方、ピコｅＮＢ３０が、ＢＳＲを伝送するための、アップリンク・リソースの割当てをもたない可能性があり、そのため、ピコｅＮＢ３０に、対応するアップリンク・リソースを要求するためのＳＲ手順をトリガする必要がある。したがって、ＵＥ１０は、２つのｅＮＢに対して個別に、２組のＢＳＲトリガおよびＳＲトリガ機構を維持する必要がある。
【００３８】
本発明の別の好ましい実施形態では、図１および図４を協同的に参照しており、ステップＳ１では、マクロｅＮＢ２０およびピコｅＮＢ３０は、ＵＥ１０に、ＵＥ１０が、マクロｅＮＢ２０およびピコｅＮＢ３０にそれぞれ対応するＢＳＲトリガ条件を構成する、マクロｅＮＢ２０およびピコｅＮＢ３０にそれぞれ対応するデータ無線ベアラが属する論理チャネル・グループのバッファ状態報告に関するトリガ構成情報をそれぞれ伝送する。ステップＳ２では、マクロｅＮＢ２０およびピコｅＮＢ３０のＢＳＲトリガ条件が満たされたとき、ＵＥは、ＤＲＢが属する論理チャネル・グループのバッファ状態報告をマクロｅＮＢ２０およびピコｅＮＢ３０にそれぞれ伝送する。
【００３９】
その後、マクロｅＮＢ２０およびピコｅＮＢ３０は、それぞれのスケジューリング履歴情報に基づいて、それぞれのデータ伝送量を決定する。したがって、マクロｅＮＢ２０とピコｅＮＢ３０との間の情報の交換は不要である。ここでは、スケジューリング履歴情報は、単一接続および／もしくは多重接続それぞれにおける、マクロｅＮＢ２０またはピコｅＮＢ３０のスケジューリング履歴結果を含み、それは、例えば、ＤＲＢ分割を伴う二重接続の場合の、ピコｅＮＢ３０によって自律的に決定された最終伝送データ量や、ＤＲＢ分割を伴う二重接続の場合の、ピコｅＮＢ３０向けにマクロｅＮＢ２０によって決定された最終伝送データ量などである。
【００４０】
図５は、本発明の一実施形態による装置図であり、マクロｅＮＢ２０とピコｅＮＢ３０との二重接続においてアップリンク・スケジューリング情報報告を協同的に実装するための、ＵＥ１０の様々なモジュールを示す。図５に示すように、ＵＥ１０は、構成受信モジュール１０１およびＢＳＲ報告モジュール１０２を備える。
【００４１】
具体的には、マクロｅＮＢ２０およびピコｅＮＢ３０は、ＵＥ１０に、それぞれの対応する無線ベアラが属する論理チャネル・グループのバッファ状態報告に関するトリガ構成情報、無線ベアラ構成情報、およびアップリンク・リソース構成情報をそれぞれ伝送する。それに対応して、ＵＥ１０の構成受信モジュール１０１は、マクロｅＮＢ２０およびピコｅＮＢ３０から、前述のそれぞれの構成情報を受信する。ここで、トリガ構成情報は、ＵＥが、例えば、それぞれのｅＮＢに対応するＢＳＲトリガ・タイマの構成情報など、それぞれのｅＮＢ向けに対応するＢＳＲ構成条件を構成する、マクロｅＮＢ２０およびピコｅＮＢ３０に対応するＢＳＲトリガ構成情報をそれぞれ含む。無線ベアラ構成情報は、それぞれのｅＮＢによって伝送可能である無線ベアラ・タイプを含む。アップリンク・リソース構成情報は、例えば、ＰＵＣＣＨリソース構成情報など、それぞれのｅＮＢによってＵＥに割り当てられたアップリンク・リソースの構成情報を含む。したがって、二重接続をサポートするＵＥの場合、接続された２つのセル向けに、Ｉｎｄｉｖｉｄｕａｌ  ＭＡＣ−ＭａｉｎＣｏｎｆｉｇを実行する必要がある。
【００４２】
ＵＥ１０が接続される先の複数のｅＮＢのうちの少なくとも１つにおけるＢＳＲトリガ条件が満たされたとき、ＵＥ１０のＢＳＲ報告モジュール１０２は、対応するｅＮＢに、対応する無線ベアラが属する論理チャネル・グループのバッファ状態報告を伝送する。例えば、ＳＲＢバッファ状態報告の場合、ＵＥ１０は、それぞれマクロｅＮＢ２０およびピコｅＮＢ３０のために、例えば、ｐｅｒｉｏｄｉｃＢＳＲ−ＴｉｍｅｒやｒｅｔｘＢＳＲ−Ｔｉｍｅｒなど、１組のトリガ手順を維持する必要がある。例えば、対応するタイマが満了するなど、対応するｅＮＢのＢＳＲトリガ条件が満たされたとき、ＵＥ１０のＢＳＲ報告モジュール１０２は、対応するｅＮＢに、対応するＳＲＢが属するＬＣＧのＢＳＲを報告する。
【００４３】
ここでは、周期的ＢＳＲおよびレギュラーＢＳＲの報告は、既存の規則に従うことができる。しかし、パディングＢＳＲ報告の場合、ＵＥ１０が複数のＭＡＣ  ＰＤＵを１つのｅＮＢ（例えば、マクロｅＮＢ２０やピコｅＮＢ３０）にＴＴＩ内で伝送するように要求された場合、パディングＢＳＲ報告は、レギュラー／周期的ＢＳＲを含まないＭＡＣ  ＰＤＵのいずれかに含まれ得る。
【００４４】
その上、ＵＥ１０はさらに、ＳＲ送信モジュール（図示せず）を備えてもよく、ＵＥ１０が接続される先の複数のｅＮＢのうちの少なくとも１つにおけるＢＳＲトリガ条件が満たされ、対応するｅＮＢが現在まだアップリンク・リソースをＵＥに割り当てていないとき、ＳＲ送信モジュールは、バッファ状態報告をｅＮＢに報告するためのアップリンク・リソースを取得できるように、スケジューリング要求をｅＮＢに伝送する。すなわち、ＢＳＲを伝送するための現在割り当てられたアップリンク・リソースがない場合、ＳＲ送信がトリガされることになる。同様に、２つのｅＮＢに対して２組のＳＲ送信手順も個別に存在する。具体的には、マクロｅＮＢ２０のＢＳＲトリガ条件が満たされたとき、任意のＴＴＩ内でマクロｅＮＢ２０によってＳＲのために構成された有効なＰＵＣＣＨリソースがない場合、ＳＲ送信モジュールは、マクロｅＮＢ２０にランダム・アクセスを開始する。スモール・セルｅＮＢのＢＳＲトリガ条件が満たされたとき、任意のＴＴＩ内でスモール・セルｅＮＢによってＳＲのために構成された有効なＰＵＣＣＨリソースがない場合、ＳＲ送信モジュールは、スモール・セルｅＮＢにランダム・アクセスを開始する。したがって、両方のｅＮＢは、ＰＵＣＣＨおよびランダム・アクセスをサポートすべきである。
【００４５】
ＤＲＢ分割の場合、１つのＤＲＢは複数のｅＮＢによって伝送可能である一方、複数のｅＮＢは非理想的バックホール接続と結合されるので、各ｅＮＢは、独立した分散スケジューラを必要とする。したがって、その実装はより複雑であり、そこには多くの変形形態が存在する。ここでは、ＤＲＢを伝送する複数のｅＮＢは、ＵＥに接続されたｅＮＢのうちのすべてまたは一部であってもよく、そうしたｅＮＢは、伝送ｅＮＢと呼ばれ、そこでは各伝送ｅＮＢが、ＤＲＢの合計ＢＳＲ報告を取得し、伝送可能なデータ量を自ら決定することができる。さらに、一方の伝送ｅＮＢがマクロｅＮＢであり、他方の伝送ｅＮＢがマクロｅＮＢに属するスモール・セルｅＮＢであるとき、マクロｅＮＢは、ＲＤＢに対して他方の伝送ｅＮＢそれぞれによって伝送可能なデータ量を、他方の伝送ｅＮＢに対して決定することができる。
【００４６】
以下において、いくつかの好ましい実施形態が、添付図面を参照しながら示されるとともに、１つのＤＲＢが、２つの伝送基地局がマクロｅＮＢ２０とピコｅＮＢ３０である２つの基地局上で伝送される例が挙げられる。
【００４７】
本発明の好ましい一実施形態では、図２および図５を協同的に参照しており、マクロｅＮＢ２０の第１の構成送信モジュール（図示せず）は、ＵＥ１０に、ＵＥ１０が、マクロｅＮＢ２０に対応するそのＢＳＲトリガ条件を構成する、マクロｅＮＢ２０に対応するデータ無線ベアラが属する論理チャネル・グループのバッファ状態報告に関するトリガ構成情報を伝送する。マクロｅＮＢ２０のＢＳＲトリガ条件が満たされたとき、ＵＥ１０のＢＳＲ報告モジュール１０２は、ＤＲＢが属する論理チャネル・グループのバッファ状態報告をマクロｅＮＢ２０にＭＡＣ  ＰＤＵを通じて伝送する。ここでは、既存の規則に基づいて、ＢＳＲは、周期的ＢＳＲ、レギュラーＢＳＲ、またはパディングＢＳＲとしてトリガされ得る。それに対応して、マクロｅＮＢ２０の第１のＢＳＲ受信モジュール（図示せず）は、ＵＥ１０から伝送されたバッファ状態報告を受信する。
【００４８】
その後、マクロｅＮＢ２０の第１の伝送決定モジュール（図示せず）は、そのフロー制御機能を使用して、バッファ状態報告に従った、自身およびピコｅＮＢ３０などの、それぞれのロードおよびチャネル条件に基づいて、自身およびピコｅＮＢ３０によってそれぞれ伝送されるＤＲＢ向けのデータ量を決定し、次いで、ＢＳＲ、およびピコｅＮＢ３０によって伝送されると決定されたデータ量に対応する決定情報をピコｅＮＢ３０にＸ２インタフェースを介して提供する。決定情報がＢＳＲに含まれ得ることが好ましい。ここでは、決定情報は、ピコｅＮＢ３０によって伝送されるデータ量、またはピコｅＮＢ３０によって伝送されるデータ量の、マクロｅＮＢ２０によって決定されるＤＲＢのバッファ・データ量に対する比率を含む。それに対応して、ピコｅＮＢ３０の第４のＢＳＲ受信モジュール（図示せず）は、マクロｅＮＢ２０から、マクロｅＮＢ２０によって転送されるバッファ状態報告、およびピコｅＮＢ３０がアップリンク・リソースをＵＥ１０に割り当てるような、ＤＲＢ向けにピコｅＮＢ３０によって伝送されるマクロｅＮＢ２０によって決定されたデータ量に関する決定情報を受信する。
【００４９】
さらに、ＢＳＲを送信しているＵＥからマクロｅＮＢ２０への遅延が存在するため、この期間、ＵＥは、リソースの割当ておよびデータの伝送が可能であり、したがって、マクロｅＮＢ２０は、この期間、データ伝送量を推定し、それに対応して、この部分のデータ量をバッファ状態報告から削減することができる。さらに、Ｘ２インタフェースの不確定なレイテンシのため、マクロｅＮＢ２０の第１の伝送決定モジュールが、ＵＥによって伝送されたＢＳＲをピコｅＮＢ３０に転送するとき、ＢＳＲ送信時間もまた、ピコｅＮＢ３０に提供可能であり、そこでは、ＢＳＲ送信時間は、ＵＥがＢＳＲを報告する時間であってもよく、またはマクロｅＮＢ２０がＢＳＲを転送する時間であってもよく、例えば、ＳＦＮ＋サブフレーム番号として分類され得る。それに対応して、ピコｅＮＢ３０の第４のＢＳＲ受信モジュールはまた、ＵＥ１０によって伝送されてきたデータ量を推定するために、ＢＳＲ送信時間をマクロｅＮＢ２０から受信し、アップリンク・リソースをＵＥにそれに基づいて割り当てることができる。
【００５０】
本発明の別の好ましい実施形態では、図３および図５を協同的に参照しており、マクロｅＮＢ２０の第１の構成送信モジュールおよびピコｅＮＢ３０の第３の構成送信モジュール（図示せず）は、ＵＥ１０に、ＵＥ１０が、マクロｅＮＢ２０およびピコｅＮＢ３０にそれぞれ対応するＢＳＲトリガ条件を構成する、マクロｅＮＢ２０およびピコｅＮＢ３０にそれぞれ対応するデータ無線ベアラが属する論理チャネル・グループのバッファ状態報告に関するトリガ構成情報をそれぞれ伝送する。マクロｅＮＢ２０およびピコｅＮＢ３０のＢＳＲトリガ条件が満たされたとき、ＵＥのＢＳＲ報告モジュール１０２は、非理想的バックホール・リンクを有するＸ２インタフェースのタイミングの悪い伝送を回避するように、ＤＲＢが属する論理チャネル・グループのバッファ状態報告をマクロｅＮＢ２０およびピコｅＮＢ３０にそれぞれ伝送する。それに対応して、マクロｅＮＢ２０の第１のＢＳＲ受信モジュールおよびピコｅＮＢ３０の第３のＢＳＲ受信モジュールは、ＤＲＢのＢＳＲをＵＥ１０からそれぞれ受信する。
【００５１】
その後、マクロｅＮＢ２０の第１の伝送決定モジュールは、そのフロー制御機能を使用して、自身およびピコｅＮＢ３０によってそれぞれ伝送されるデータ量を決定し、さらに、データ量に対応する決定情報をピコｅＮＢ３０にＸ２インタフェースを介して提供する。それに対応して、ピコｅＮＢ３０の第３の伝送受信モジュールは、決定情報をマクロｅＮＢ２０から受信する。ここでは、決定情報は、マクロｅＮＢ２０によって、ピコｅＮＢ３０によって伝送されると決定されたデータ量、またはピコｅＮＢ３０によって伝送されるデータ量の、ＤＲＢのバッファ・データ量に対する比率を含み、これは、ピコｅＮＢ３０がＵＥ１０へのリソースの過剰割当てを回避するのを推進するために使用することができる。さらに、Ｘ２インタフェースのレイテンシを考えると、決定情報は、ピコｅＮＢにおけるＵＥ１０へのリソースの過剰割当てを回避できるように、その送信時間と共にピコｅＮＢ３０に提供されてもよい。
【００５２】
その上、アップリンク・リソースの割当ては２つのｅＮＢで完全に異なるので、同じＢＳＲ報告の場合、マクロｅＮＢ２０が、ＢＳＲを伝送するための、アップリンク・リソースの割当てをもち、一方、ピコｅＮＢ３０が、ＢＳＲを伝送するための、アップリンク・リソースの割当てをもたない可能性があり、そのため、ピコｅＮＢ３０に、対応するアップリンク・リソースを要求するためのＳＲ手順をトリガする必要がある。したがって、ＵＥ１０は、２つのｅＮＢに対して個別に、２組のＢＳＲトリガおよびＳＲトリガ機構を維持する必要がある。
【００５３】
本発明の別の好ましい実施形態では、図４および図５を協同的に参照しており、マクロｅＮＢ２０の第１の構成送信モジュールおよびピコｅＮＢ３０の第２の構成送信モジュール（図示せず）は、ＵＥ１０に、ＵＥ１０が、マクロｅＮＢ２０およびピコｅＮＢ３０にそれぞれ対応するＢＳＲトリガ条件を構成する、マクロｅＮＢ２０およびピコｅＮＢ３０にそれぞれ対応するデータ無線ベアラが属する論理チャネル・グループのバッファ状態報告に関するトリガ構成情報をそれぞれ伝送する。マクロｅＮＢ２０およびピコｅＮＢ３０のＢＳＲトリガ条件が満たされたとき、ＵＥ１０のＢＳＲ報告モジュール１０２は、ＤＲＢが属する論理チャネル・グループのバッファ状態報告をマクロｅＮＢ２０およびピコｅＮＢ３０にそれぞれ伝送する。それに対応して、マクロｅＮＢ２０の第１のＢＳＲ受信モジュールおよびピコｅＮＢ３０の第２のＢＳＲ受信モジュール（図示せず）は、ＤＢＲのＢＳＲをＵＥ１０からそれぞれ受信する。
【００５４】
その後、マクロｅＮＢ２０の第１の伝送決定モジュールおよびピコｅＮＢ３０の第２の伝送決定モジュール（図示せず）は、それぞれのスケジューリング履歴情報に基づいて、それぞれのデータ伝送量を決定する。したがって、マクロｅＮＢ２０とピコｅＮＢ３０との間の情報の交換は不要である。ここでは、スケジューリング履歴情報は、単一接続および／もしくは多重接続それぞれにおける、マクロｅＮＢ２０またはピコｅＮＢ３０のスケジューリング履歴結果を含み、それは、例えば、ＤＲＢ分割を伴う二重接続の場合の、ピコｅＮＢ３０によって自律的に決定された最終伝送データ量、またはＤＲＢ分割を伴う二重接続の場合の、ピコｅＮＢ３０向けにマクロｅＮＢ２０によって決定された最終伝送データ量などである。
【００５５】
本発明は、ソフトウェアに、またはソフトウェアとハードウェアの組合せに実装されてもよいことに留意されたい。例えば、ＡＳＩＣ（特定用途向け集積回路）、汎用コンピュータ、または任意の他の類似ハードウェア・デバイスによって実装されてもよい。
【００５６】
本発明のソフトウェア・プログラムは、上記のステップまたは機能を実装するためのプロセッサによって実行することができる。同様に、本発明のソフトウェア・プログラム（関連するデータ構造を含む）は、例えば、ＲＡＭメモリ、磁気ドライバもしくは光学式ドライバ、またはフロッピーディスクなどのコンピュータ可読記録媒体、および他の類似のデバイスに格納することができる。その上、本発明の一部のステップまたは機能は、例えば、様々な機能またはステップを実行するためのプロセッサと連携している回路などのハードウェアによって実装することができる。
【００５７】
さらに、本発明の一部は、本発明による方法および／もしくは技術的解決策の呼出しまたは提供を、コンピュータによって実行されたとき、コンピュータの演算を通じて実施し得る、例えば、コンピュータ・プログラム命令などのコンピュータ・プログラム製品として適用されてもよい。さらに、本発明の方法を呼び出すプログラム命令は、固定記録媒体もしくはモバイル記録媒体に格納されてもよく、また／またはブロードキャストもしくはデータ・フローを通じて他の信号ベアラ媒体に伝送されてもよく、また／またはプログラム命令に基づいて動作するコンピュータ・デバイスのワーキング・メモリに格納されてもよい。ここでは、本発明による一実施形態は、コンピュータ・プログラム命令を格納するためのメモリおよびプログラム命令を実行するためのプロセッサを備える装置を含み、そこでは、コンピュータ・プログラム命令が、プロセッサによって実行されたとき、本発明の複数の実施形態による方法および／または技術的解決策を実行するために、装置がトリガされる。
【００５８】
当業者には、本発明は、上記の例示的実施形態の詳細に限定されるものではなく、また本発明は、本発明の趣旨または基本的機能から逸脱することなく、他の実施形態で実施可能であることが明らかである。したがっていずれにしても、実施形態は、限定的ではなく、例示的であると見なされるべきであり、本発明の範囲は、上記の説明ではなく、添付の特許請求の範囲によって限定され、また特許請求の範囲の同等の要素の意味および範囲に含まれることを意図したあらゆる変形形態は、本発明内にカバーされるべきである。特許請求の範囲内のどの引用符号も、関連する特許請求の範囲を限定するものとして見なされるべきではない。その上、「備える、含む（ｃｏｍｐｒｉｓｅ）」という語は、他のユニットまたはステップを除外せず、また単数は、複数を除外しないことが明らかである。システム・クレームに記載された、複数のユニットまたはモジュールはまた、ソフトウェアまたはハードウェアを通じて、単数のユニットまたはモジュールによって実装されてもよい。第１のおよび第２のなどの語は、名前を示すために使用され、いかなる特定の順序も示さない。
【図１】
2016518089.tif 000003
【図５】
2016518089.tif 000004
【図２】
2016518089.tif 000005
【図３】
2016518089.tif 000006
【図４】
2016518089.tif 000007
【国際調査報告】
2016518089.tif 000008
2016518089.tif 000009
2016518089.tif 000010